(57)【要約】【課題】漏電を生じさせない放電針の支持構造体を提供することにある。また、放電針を交換するのに容易に簡単に交換できる便利な交換冶具を提供することにある。【解決手段】  支持構造体は放電針が除電器のイオン発生部のケースに触れないように構成されている。また、放電針の交換冶具は片端面に設けられた、放電針を弾力的に強く把持する放電針抜去冶具と、前記片端面の反対側の端面に設けられた、放電針を弾力的に弱く把持する放電針装着冶具とを有する。【選択図】  図１
2006059612.tif 000002
【特許請求の範囲】
【請求項１】
放電針が除電器のイオン発生部のケースに触れないことを特徴とする放電針の支持構造体。
【請求項２】
放電針が針プラグにより保持されていて、該針プラグが除電器のイオン発生部のケースに触れないことを特徴とする放電針の支持構造体。
【請求項３】
請求項２記載の支持構造体において、前記針プラグが針ソケットに差し込まれて、機械的な固定と電気的な接続がされることを特徴とする放電針の支持構造体。
【請求項４】
請求項3記載の支持構造体において、針ソケットが除電器のイオン発生部のケースに触れないことを特徴とする放電針の支持構造体。
【請求項５】
請求項２乃至４のいずれか１つに記載の支持構造体において、針プラグまたは針プラグと針ソケットに空気吸入用の穴または切り欠きがあることを特徴とする請求項2乃至4記載の放電針の支持構造体。
【請求項６】
放電針を保持してプラグを構成する針プラグと、
該針プラグが差し込まれる針ソケットと、
該針ソケットを支持する絶縁支持体と、
前記絶縁支持体をケースにケースのほぼ仮想接地位置で支持する支持具と、
を有することを特徴とする放電針の支持構造体。
【請求項７】
請求項６記載の支持構造体において、前記針プラグを前記針ソケットにガイドするための針プラグガイドをさらに有することを特徴とする支持構造体。
【請求項８】
請求項６または７記載の支持構造体において、針プラグまたは針プラグと針ソケットに空気吸入用の穴または切り欠きがあることを特徴とする支持構造体。
【請求項９】
片端面に設けられた、放電針を弾力的に強く把持する放電針抜去冶具と、前記片端面の反対側の端面に設けられた、放電針を弾力的に弱く把持する放電針装着冶具とを有することを特徴とする放電針の交換冶具。
【請求項１０】
請求項９記載の交換冶具において、前記放電針装着冶具の放電針保持力は放電針が針ソケットに把持されている把持カより弱く放電針を把持し、放電針抜去冶具は放電針保持力が放電針がソケットに把持されている把持カより強く放電針を把持することを特徴とする交換冶具。
【請求項１１】
請求項９または１０に記載の交換冶具において、放電針交換冶具の外径が除電器のイオン発生部のケースの放電用開口部の径より小さくて、ほぼ等しいことを特徴とする交換冶具。
【発明の詳細な説明】
【技術分野】
【０００１】
本発明は、除電器の放電針の支持構造体および放電針の交換冶具に関する。
【背景技術】
【０００２】
従来例の除電器の放電針の保持構造は、（１）放電針を除電器のイオン発生部のケース（ハウジング）に設けられた放電針接続部に差し込んだり、（２）放電針を保持するように放電針保持体を形成し、この保持体を除電器のイオン発生部のケース（ハウジング）に差込み（ねじ込み）、固定している（図６参照）。
【０００３】
ここで、図６を参照して、後者の従来例の除電器の放電針の保持構造を説明すると、バー型除電器は、ケース２２、２４、２６を有する。ケース２２とケース２４の間にはエアー（空気）路３０が形成されており、ケース２４とケース２６の間には電気系を収容する電気部が設けられている。電気部内の接触端子１４には高電圧が印加され、放電針１２の根元が接触するようになっている。
【０００４】
放電針保持体１０はイオン５０を放射する放電針１２を保持しており、放電針保持体１０にはエアー路３２が形成されている。放電針保持体１０がケース２２にはめ込まれて取り付けられている。取付られた状態では、放電針１２の根元が接触端子１４に接触し、エアー路３２がエアー路３０と連通することになる。圧縮空気はエアー路３０、エアー路３２を経由して放電針１２の周囲にエアー５２を噴出し、イオン５０を遠くに飛ばすように作用する。なお、エアー漏れを防止するために、ゴムシール１６、Oリング１８、２０が配置されている。
【発明の開示】
【発明が解決しようとする課題】
【０００５】
従来例の（１）の場合は、高電圧は高電圧電極（給電部）から放電針に流れ、針と接触している除電器のイオン発生部のケース（ハウジング）に漏電してしまう。
【０００６】
また、（２）の場合は、静電圧は高電圧亀極（給電部）から放電針に流れ、放電針保持体１０の表面を伝って、除電器のイオン発生部のケース（ハウジング）に漏電してしまう。すなわち、矢印Aで示すように、放電針１２の根元からケース２４に、また矢印B、Cに示すように、放電針１２の先端の突出部から放電針保持体１０の表面を伝ってケース２２に漏電する。このことは、高電圧が供給される位置で、放電針保持体１０がケースに接触しているために生じる。
【０００７】
もともと、除電器は、高電圧を用いるため集塵作用があり、使うにつれて絶縁部材（放電針保持体、ケース）の表面の汚れがひどくなるので、漏電しやすい。また、前述のように、コロナ放電により発生したイオンを外部に遠く飛ばすために、放電針の周りに圧縮空気を導入しているが、圧縮空気は使用時、空気の断熱膨張を伴うので、気温の低下により結露し霧が発生しやすい。したがって放電針に触れている濡れて汚れた絶縁体の表面を伝って漏電が発生してしまう。
【０００８】
したがって、本発明の目的は、漏電を生じさせない放電針の支持構造体を提供することにある。
【０００９】
また、除電器に用いる放電針は使用により、劣化するので、所定の期間の使用後には、交換が要請されているが、放電針を交換するのに容易に簡単に交換できる便利な交換冶具は今までのところ存在しなかった。
【００１０】
したがって、本発明の他の目的は、放電針を交換するのに容易に簡単に交換できる便利な交換冶具を提供することにある。
【課題を解決するための手段】
【００１１】
前述の目的を達成するために、本発明は、放電針が除電器のイオン発生部のケースに触れないことを特徴とする放電針の支持構造体を採用するものである。
【００１２】
また、本発明は、片端面に設けられた、放電針を弾力的に強く把持する放電針抜去冶具と、前記片端面の反対側の端面に設けられた、放電針を弾力的に弱く把持する放電針装着冶具とを有することを特徴とする放電針の交換冶具を採用するものである。
【発明の効果】
【００１３】
本発明によると、漏電を生じさせない除電器の放電針の支持構造体が得られる。
【００１４】
また、放電針を交換するのに容易に簡単に交換できる便利な交換冶具が得られる。
【発明を実施するための最良の形態】
【００１５】
本発明の基本的な思想は「放電針は除電器のイオン発生部のケース（即ち、イオン発生個所に隣接するケース）に触れてはいけない」にある。
【００１６】
従来は必ず何らかの形で除電器のイオン発生部のケースに触れていたので、漏電は不可避であった。放電針への給電部はもちろん十分な絶縁性能をもってケースからは絶縁されていた。この給電部に放電針を装着するが、従来は放電針がケースに支持される形になっていたので、給電部の十分な絶縁性能は何の意味も無く、装着した放電針からどんどん漏電が起きていた。その結果、発煙事故や火災事故を引き起こしていた。
【００１７】
本発明は、
（１）針は除電器のイオン発生部のケースに触れない。
（２）針を保持する絶縁体を有する場合は、この保持体も決してイオン発生部のケースに触れない。
（３）この保持体を機械的に支持するソケットも、決してイオン発生部のケースに触れない。
ことを基本としている。
【実施例】
【００１８】
次に、図１〜５を参照して、本発明の実施例を説明する。
（実施例1）
図1は、実施例１の放電針の支持構造体を示す平面図および断面図であり、図２は実施例１の除電器の側部断面図（針プラグハウジングは図示せず）である。ここで、図１の断面図は、図２のＡ−Ａ断面に対応するものである。図１において、針ソケットハウジング（単に、針ソケットともいう）６２は絶縁支持体６４に保持されている。放電針１２は針プラグハウジング（単に、針プラグともいう）６０に組み込まれ、針プラグを構成している。針プラグ６０は針ソケットに差し込まれるものであるが、イオン発生部においてケース７０に触れていないので漏電は起きない。
【００１９】
さらに詳細に説明すると、図２に示すように、バー型除電器において、複数の放電針１２に対して＋と−のイオンが交互に発生するように給電されており、破線で示すような電位分布となっている。絶縁支持体６４は、ＶＩＲＴＵＡＬ  ＧＲＯＵＮＤ  （ＶＧ）（仮想接地）個所の零V位置において、支持具７４によって支持されている。このことにより漏電は起きない。
（実施例２）
図３は実施例2の支持構造体を示す断面図である。実施例２は実施例１を改良したものである。針プラグガイド７２は針ソケット６２と共に、絶縁支持体６４に保持されている。放電針１２は針プラグハウジングに組み込まれ、針プラグ６０になっている。針プラグ６０は針プラグガイド７２に差し込まれ把持されるので、ケース７０に触れることはない。したがって漏電は起きない。またこの方法では、針プラグ６０は針プラグガイド７２によってガイドされて差し込まれるので、放電針の装着は非常に簡単、確実に行える。
（実施例３）
図４は実施例3の支持構造体（図示の便宜上、放電針と針プラグのみを示す）の平面図および断面図である。図４において、針プラグ６０の針横に切り欠きまたは穴６０ａがあり、外部から空気を吸い込む。放電針１２の先端からイオンが放射されるが、イオン化される空気を供給するための吸入口を設ける。これによりイオンがより良く放射される。
（実施例４）
図５は、実施例４の放電針の交換冶具を示す図であり、そのうち、図５ａは平面図であり、図５ｂは一部を切り欠いて示す側面図であり、図５ｃは底面図であり、図５ｄは断面図である。図５において、交換冶具８０は好ましくは弾力性のあるプラスチックで作られる。交換冶具８０は、片方の端面に放電針（１２ａで示す）を抜去する抜去冶具を設けており、反対側の他方の端面に放電針（１２ｂで示す）を装着する装着冶具を設けている。
抜去冶具はすり鉢状に穴８０ａが作られていて、抜き去る放電針１２ａをこの穴８０ａに強く差込み抜き去る。すなわち、放電針１２ａを穴８０ａに強く差込んだ際、穴８０ａの底部は放電針１２ａを弾力的に強く把持する寸法形状に形成されている。
【００２０】
装着冶具は放電針１２ｂの外形よりやや小さめの穴が開いているスリーブがあり、スリーブにはスリット８０ｂが形成されている。このスリット８０ｂにより放電針を緩く保持できる。これを装着する針ソケット６２（図１〜３参照）に差込み、そのまま引き抜くと、交換冶具のみ引き抜かれ、放電針１２ｂは残される。
【００２１】
このようにして装着が終われば、放電針１２のみ針ソケット６２に残されるが、交換冶具８０は外されるので、放電針１２はケース７０（図１〜３参照）からは浮いた状況になり、漏電は起こらない。
【図面の簡単な説明】
【００２２】
【図１】実施例１の放電針の支持構造体を示す平面図および断面図である。
【図２】実施例１の除電器の側部断面図（針プラグハウジングは図示せず）である。
【図３】実施例2の支持構造体を示す断面図である。
【図４】実施例3の支持構造体（図示の便宜上、放電針と針プラグのみを示す）の平面図および断面図である。
【図５】実施例４の放電針の交換冶具を示す図であり、そのうち、図５ａは平面図であり、図５ｂは一部を切り欠いて示す側面図であり、図５ｃは底面図であり、図５ｄは断面図である。
【図６】従来例の除電器の放電針の保持構造を示す断面図である。
【符号の説明】
【００２３】
１２  放電針
６０  針プラグ
６２  針ソケット
６４  絶縁支持体
７２  針プラグガイド
７４  支持具
８０  交換冶具
【図１】
2006059612.tif 000003
【図２】
2006059612.tif 000004
【図３】
2006059612.tif 000005
【図４】
2006059612.tif 000006
【図５】
2006059612.tif 000007
【図６】
2006059612.tif 000008
【手続補正書】
【提出日】平成16年8月23日(2004.8.23)
【手続補正１】
【補正対象書類名】特許請求の範囲
【補正対象項目名】請求項８
【補正方法】変更
【補正の内容】
【請求項８】
請求項６または７記載の支持構造体において、針プラグまたは針プラグと針プラグガイドに空気吸入用の穴または切り欠きがあることを特徴とする支持構造体。